(57)【要約】【課題】空気清浄機のデータをサーバなどで有効に利用するための技術を提供する。【解決手段】ホコリを検知して検知結果を送信する空気調和機２００と、空気調和機２００からのホコリを検知した旨の情報に基づいて、空気調和機２００にユーザとの音声対話を実行させるサーバ１００と、を備えるネットワークシステム１が提供される。【選択図】図１
2019052797.tif 000002
【特許請求の範囲】
【請求項１】
ホコリを検知して検知結果を送信する空気調和機と、
前記空気調和機からのホコリを検知した旨の情報に基づいて、前記空気調和機にユーザとの音声対話を実行させるサーバと、を備えるネットワークシステム。
【請求項２】
前記空気調和機は、ホコリを検知した場合に予め記憶している音声データに基づいてその旨を音声出力し、前記音声出力後に前記サーバからの指令に基づくユーザとの音声対話を実行する、請求項１に記載のネットワークシステム。
【請求項３】
前記サーバは、前記空気調和機からのホコリを検知した旨の情報を受信すると、所定時間待機してから、前記空気調和機にユーザとの音声対話を開始させるための情報を送信する、請求項１または２に記載のネットワークシステム。
【請求項４】
前記サーバは、外部からの情報を利用して、前記空気調和機にユーザとの音声対話を実行させる、請求項１から３のいずれか１項に記載のネットワークシステム。
【請求項５】
空気調和機がホコリを検知して検知結果をサーバに送信するステップと、
前記サーバが、前記空気調和機からの情報に基づいて、前記空気調和機にユーザとの音声対話を実行させるためのデータを送信するステップと、を備える情報処理方法。
【請求項６】
空気調和機と通信するための通信インターフェイスと、
前記通信インターフェイスを利用することによって、前記空気調和機からのホコリを検知した旨の情報に基づいて、前記空気調和機にユーザとの音声対話を実行させるためのデータを送信するためのプロセッサと、を備えるサーバ。
【請求項７】
プロセッサが、通信インターフェイスを介して、空気調和機からのホコリを検知した旨の情報を受信するステップと、
前記プロセッサが、前記通信インターフェイスを介して、前記空気調和機にユーザとの音声対話を実行させるためのデータを送信するステップと、を備える情報処理方法。
【発明の詳細な説明】
【技術分野】
【０００１】
本発明は、空気清浄機などの空気調和機の技術に関する。
【背景技術】
【０００２】
従来から、空気清浄機などの空気調和機に関する様々な技術が提案されている。たとえば、特開平６−７１１２５号公報（特許文献１）には、空気清浄器が開示されている。特許文献１によると、室内空気の汚染度を検出してその出力で空気清浄運転を開始させる汚染度センサーを備えている空気清浄器において、人体検知用の人感センサーと、この人感センサーによる人体検知出力で汚染度センサーに空気流を流す検出運転を行わせる制御回路とを備えたものとし、室内空気が汚染される可能性が高い時である人体が室内にいる時にのみ、検出運転が行われるものとする。
【先行技術文献】
【特許文献】
【０００３】
【特許文献１】特開平６−７１１２５号公報
【発明の概要】
【発明が解決しようとする課題】
【０００４】
本発明の目的は、空気調和機のデータをサーバなどで有効に利用するための技術を提供することにある。
【課題を解決するための手段】
【０００５】
本発明のある態様に従うと、ホコリを検知して検知結果を送信する空気清浄機などの空気調和機と、空気調和機からのホコリを検知した旨の情報に基づいて、空気調和機にユーザとの音声対話を実行させるサーバと、を備えるネットワークシステムが提供される。
【発明の効果】
【０００６】
以上のように、本発明によれば、空気調和機のデータをサーバなどで有効に利用することができる。
【図面の簡単な説明】
【０００７】
【図１】第１の実施の形態にかかるネットワークシステム１の全体構成と動作概要を示すイメージ図である。
【図２】第１の実施の形態にかかるサーバ１００の構成の一態様について説明する。
【図３】第１の実施の形態にかかる機器管理データ１２１を示すイメージ図である。
【図４】第１の実施の形態にかかる対話管理データ１２２を示すイメージ図である。
【図５】第１の実施の形態にかかるサーバ１００における情報処理を示すフローチャートである。
【図６】第１の実施の形態にかかる空気清浄機２００の構成の一態様について説明する。
【図７】第２の実施の形態にかかるサーバ１００における情報処理を示すフローチャートである。
【図８】第３の実施の形態にかかる対話管理データ１２２Ｂを示すイメージ図である。
【図９】第４の実施の形態にかかるネットワークシステム１の全体構成と動作概要を示すイメージ図である。
【図１０】第４の実施の形態にかかる対話管理データ１２２Ｃを示すイメージ図である。
【図１１】第４の実施の形態にかかるサーバ１００における情報処理を示すフローチャートである。
【図１２】第５の実施の形態にかかるネットワークシステム１の全体構成と動作概要を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成と動作概要＞
【０００９】
まず、図１（Ａ）を参照して、本実施の形態にかかるネットワークシステム１の全体構成について説明する。本実施の形態にかかるネットワークシステム１は、主に、サーバ１００と、インターネットやルータなどを介してサーバ１００に接続可能な空気清浄機２００などの複数の空気調和機とを含む。特に本実施の形態にかかる空気調和機は吸い込んだ空気に含まれるホコリの有無やホコリの量やホコリの密度などを測定することが可能である。
【００１０】
次に、図１（a）〜（c）を参照して、本実施の形態にかかるネットワークシステム１の動作概要について説明する。まず、図１（a）に示すように、空気清浄機２００は、運転ＯＮの状態において定期的に、ホコリがあるか否かを検知している。
【００１１】
図１（b）に示すように、空気清浄機２００は、ホコリを検知すると、ホコリを検知した旨の情報をサーバ１００に送信する。サーバ１００は、当該情報に基づいて、空気清浄機２００の周囲に人がいると決定する。なぜなら、人がいると床のホコリが舞い上がるため、人がいない状態よりも多くのホコリを検知する可能性が高くなるからである。なお、空気清浄機２００は、所定の量のホコリを検知した場合に、その旨をサーバ１００に送信することが好ましい。
【００１２】
図１（c）に示すように、サーバ１００は、現在の時刻や天候などに合わせて、空気清浄機２００の近くにいるユーザとの音声対話を行うためのデータを空気清浄機２００に提供する。空気清浄機２００は、サーバ１００からのデータに基づいてユーザと音声対話を行う。
【００１３】
このように、本実施の形態においては、空気清浄機２００が取得したホコリに関する検知結果を利用してサーバ１００が空気清浄機２００の周囲にユーザがいるか否かを判断する。つまり、空気清浄機２００が取得したデータをサーバ１００で有効活用している。以下、このような機能を実現するためのネットワークシステム１の具体的な構成について詳述する。
＜サーバ１００のハードウェア構成＞
【００１４】
図２を参照して、本実施の形態にかかるネットワークシステム１を構成するサーバ１００のハードウェア構成の一態様について説明する。サーバ１００は、主たる構成要素として、ＣＰＵ（Central Processing Unit）１１０と、メモリ１２０と、操作部１４０と、時計１５０と、通信インターフェイス１６０とを含む。
【００１５】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１６】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、入力されたデータ、機器管理データ１２１、対話管理データ１２２、対話用の音声データ、その他の本実施の形態にかかる家電管理サービスに利用されるデータベースなどを記憶する。
【００１７】
図３を参照して、本実施の形態にかかる機器管理データ１２１は、空気清浄機２００毎に、主に、空気清浄機２００のＩＤと、空気清浄機２００のユーザのＩＤと、空気清浄機２００のユーザの名と、空気清浄機２００のＭＡＣアドレスなどの対応関係を含む。
【００１８】
図４を参照して、本実施の形態にかかる対話管理データ１２２は、対話のカテゴリや、対話のトリガや、対話の内容などの対応関係を含む。ＣＰＵ１１０は、空気清浄機２００からのデータに基づいて、発話のトリガに該当する発話内容を検索して、空気清浄機２００に提供するものである。
【００１９】
図２に戻って、操作部１４０は、サービスの管理者などの命令を受け付けて、当該命令をＣＰＵ１１０に入力する。
【００２０】
時計１５０は、現在時刻をＣＰＵ１１０に入力したり、指定されたタイミングからの経過時間を計測したりする。
【００２１】
通信インターフェイス１６０は、ＣＰＵ１１０からのデータを、インターネット、キャリア網、ルータなどを介して、空気清浄機２００などの他の装置に送信する。逆に、通信インターフェイス１６０は、インターネット、キャリア網、ルータなどを介して空気清浄機２００などの他の装置からのデータを受信して、ＣＰＵ１１０に受け渡す。
＜サーバ１００における情報処理＞
【００２２】
次に、図５を参照しながら、本実施の形態にかかるサーバ１００における情報処理について説明する。サーバ１００のＣＰＵ１１０は、通信インターフェイス１６０を介して、空気清浄機２００からデータを受信すると以下の処理を実行する。
【００２３】
ＣＰＵ１１０は、受信したデータから空気清浄機２００の識別情報を取得する（ステップＳ１１２）。ＣＰＵ１１０は、受信したデータに空気清浄機２００がホコリを検知した旨の情報が含まれているか否かを判断する（ステップＳ１１４）。
【００２４】
空気清浄機２００がホコリを検知した場合（ステップＳ１１４にてＹＥＳである場合）、ＣＰＵ１１０は、空気清浄機２００の周囲に人がいると判断し、対話管理データ１２２を参照して、現在の時刻や天気などに適した対話を検索する（ステップＳ１１８）。
【００２５】
現在の時刻や天気などに適した対話が準備されている場合（ステップＳ１２０にてＹＥＳである場合）、通信インターフェイス１６０を介して、現在の時刻に適した対話のためのデータを空気清浄機２００に送信する（ステップＳ１２４）。ＣＰＵ１１０は、次の空気清浄機２００からのデータを待ち受ける。
【００２６】
なお、現在の時刻や天気などに適した対話が無かった場合（ステップＳ１２０にてＮＯである場合）、ＣＰＵ１１０は、次の空気清浄機２００からのデータを待ち受ける。また、空気清浄機２００がホコリを検知しなかった場合（ステップＳ１１４にてＮＯである場合）、ＣＰＵ１１０は、他の処理を実行して（ステップＳ１３０）、次の空気清浄機２００からのデータを待ち受ける。
＜空気清浄機２００のハードウェア構成＞
【００２７】
図６を参照して、ネットワークシステム１を構成する空気清浄機２００のハードウェア構成の一態様について説明する。本実施の形態にかかる空気清浄機２００は、主たる構成要素として、ＣＰＵ２１０と、メモリ２２０と、ディスプレイ２３０、操作部２４０と、ホコリセンサ２５０と、その他のセンサ２５５と、通信インターフェイス２６０と、スピーカ２７０と、マイク２８０と、機器駆動部２９０とを含む。
【００２８】
ＣＰＵ２１０は、メモリ２２０あるいは外部の記憶媒体に記憶されているプログラムを実行することによって、空気清浄機２００の各部を制御する。
【００２９】
メモリ２２０は、各種のＲＡＭ、各種のＲＯＭなどによって実現され、空気清浄機２００に内包されているものであってもよいし、空気清浄機２００の各種インターフェイスに着脱可能なものであってもよいし、空気清浄機２００からアクセス可能な他の装置の記録媒体であってもよい。メモリ２２０は、ＣＰＵ２１０によって実行されるプログラムや、ＣＰＵ２１０によるプログラムの実行により生成されたデータ、操作部２４０を介して入力されたデータ、リモコンから受信したデータ、ルータやインターネットを介してサーバ１００から受信したデータなどを記憶する。
【００３０】
ディスプレイ２３０は、ＣＰＵ２１０からの信号に基づいて、文字や画像などを出力する。なお、ディスプレイ２３０は、単にＬＥＤライトなどであってもよい。
【００３１】
操作部２４０は、ボタン、タッチパネルなどによって実現され、ユーザからの命令を受け付けて、当該命令をＣＰＵ２１０に入力する。なお、ディスプレイ２３０と操作部２４０とは、タッチパネルを構成してもよい。
【００３２】
ホコリセンサ２５０は、ホコリの有無や、ホコリの量などを検知して、ＣＰＵ２１０に入力する。その他のセンサ２５５は、ニオイすなわち特定のガスの有無や量を検知してＣＰＵ２１０に入力するニオイセンサや、光を検知してＣＰＵ２１０に入力する照度センサなどを含む。
【００３３】
通信インターフェイス２６０は、無線ＬＡＮまたは有線ＬＡＮなどの通信モジュールによって実現される。通信インターフェイス２６０は、有線通信あるいは無線通信によってサーバ１００などの他の装置との間でデータをやり取りする。すなわち、ＣＰＵ２１０は、通信インターフェイス２６０を介して、サーバ１００などの他の装置から各種の情報を受信したり、当該他の装置に各種の情報を送信したりする。
【００３４】
スピーカ２７０は、ＣＰＵ２１０からの音声データに基づいて音声メッセージなどを出力する。マイク２８０は、ユーザの声などを取得して音声データをＣＰＵ１１０に入力する。
【００３５】
本実施の形態においては、ＣＰＵ２１０は、ホコリセンサ２５０がホコリを検知すると、通信インターフェイス２６０を介して、ホコリを検知した旨の情報をサーバ１００に送信する。そして、ＣＰＵ２１０は、サーバ１００からの音声データに基づいてスピーカ２７０にメッセージを出力させ、マイク２８０からの音声データをサーバ１００に送信する。このようにして、ユーザとの対話を実現する。なお、空気清浄機２００は、ユーザからのメッセージを受ける度に、ユーザへのメッセージをサーバ１００から取得してもよいし、まとめて対話用のメッセージ群をダウンロードしてもよい。
【００３６】
機器駆動部２９０は、ＣＰＵ２１０からの信号に基づいて、電気機器の各部（モータやヒータなど）を制御する。たとえば、本実施の形態においては、ＣＰＵ２１０は、操作部２４０を介して、あるいは通信インターフェイス２６０を介してサーバ１００から、あるいはリモコンから、各種モードや風量や風向きやイオン発生などに関する命令を受け付けて、当該命令に基づいて機器駆動部２９０を制御する。
＜第２の実施の形態＞
【００３７】
第１の実施の形態においては、空気清浄機２００がホコリを検知した際に、サーバ１００が空気清浄機２００の周囲に人がいると判断してユーザとの対話を始めるものであった。しかしながら、空気清浄機２００は、ホコリを検知した旨の情報やその他の基本的な動作に関する情報はサーバ１００からの指令を待たずに、ローカルの処理で音声出力してもよい。
【００３８】
より詳細には、本実施の形態においては、ＣＰＵ２１０は、ホコリセンサ２５０がホコリを検知すると、スピーカ２７０にホコリを検知した旨のメッセージを出力させ、機器駆動部２９０に空気清浄のための運転を開始させたり、運転強度を上げたりする。合わせてＣＰＵ２１０は、通信インターフェイス２６０を介して、ホコリを検知した旨の情報をサーバ１００に送信する。その後は、ＣＰＵ２１０は、サーバ１００からの音声データに基づいてスピーカにメッセージを出力させ、マイク２８０からの音声データをサーバ１００に送信することによって、ユーザとの対話を実行する。
【００３９】
一方、図７を参照して、本実施の形態においては、サーバ１００のＣＰＵ１１０は、通信インターフェイス１６０を介して、空気清浄機２００からデータを受信すると、以下のような処理を実行する。
【００４０】
ＣＰＵ１１０は、受信したデータから空気清浄機２００の識別情報を取得する（ステップＳ１１２）。ＣＰＵ１１０は、受信したデータに空気清浄機２００がホコリを検知した旨の情報が含まれているか否かを判断する（ステップＳ１１４）。
【００４１】
空気清浄機２００がホコリを検知した場合（ステップＳ１１４にてＹＥＳである場合）、ＣＰＵ１１０は、空気清浄機２００の周囲に人がいると判断し、時計１５０を利用して待機タイマをスタートさせる（ステップＳ１１６）。ＣＰＵ１１０は、対話管理データ１２２を参照して、現在の時刻や天気などに適した対話が準備されているか否かメモリ１２０を検索する（ステップＳ１１８）。
【００４２】
現在の時刻や天気などに適した対話が準備されている場合（ステップＳ１２０にてＹＥＳである場合）、ＣＰＵ１１０は、所定時間、たとえば３秒または５秒など、が経過するまで待機する（ステップＳ１２２）。ＣＰＵ１１０は、所定時間の経過後（ステップＳ１２２にてＹＥＳである場合）、通信インターフェイス１６０を介して、現在の時刻に適した対話のためのデータを空気清浄機２００に送信する（ステップＳ１２４）。ＣＰＵ１１０は、タイマをストップして（ステップＳ１２６）、次の空気清浄機２００からのデータを待ち受ける。
【００４３】
なお、現在の時刻や天気などに適した対話が無かった場合（ステップＳ１２０にてＮＯである場合）、ＣＰＵ１１０は、タイマをストップして（ステップＳ１２６）、次の空気清浄機２００からのデータを待ち受ける。また、空気清浄機２００がホコリを検知しなかった場合（ステップＳ１１４にてＮＯである場合）、ＣＰＵ１１０は、他の処理を実行して（ステップＳ１３０）、次の空気清浄機２００からのデータを待ち受ける。
＜第３の実施の形態＞
【００４４】
第１および第２の実施の形態においては、空気清浄機２００がホコリを検知した際に、サーバ１００が空気清浄機２００の周囲に人がいると判断してユーザとの対話を始めるものであった。しかしながら、空気清浄機２００は、他の種類のセンサからのデータをサーバ１００に送信し、当該データに基づいて空気清浄機２００によるユーザとの音声対話をスタートさせてもよい。
【００４５】
つまり、図８に示す通り、サーバ１００には、ニオイセンサや照度センサなどの他のセンサ２５５の検知結果に基づいて発するべき適切なメッセージが対話管理データ１２２Ｂとして準備される。
【００４６】
そして、本実施の形態においては、図５や図７のステップＳ１１４においては、サーバ１００のＣＰＵ１１０は、空気清浄機２００から受信したデータに空気清浄機２００がホコリまたはニオイまたは照度に関する情報が含まれているか否かを判断する。そして、ホコリが検知されたり、ニオイが検知されたり、照度が明るい場合などに（ステップＳ１１４においてＹＥＳの場合）、かつその他の発話トリガに該当する場合に（ステップＳ１２０においてＹＥＳの場合）、ＣＰＵ１１０は、通信インターフェイス１６０を介して、空気清浄機２００の状況や現在の時刻や天気に適した対話のためのデータを空気清浄機２００に送信する（ステップＳ１２４）。
＜第４の実施の形態＞
【００４７】
さらには、サーバ１００は、図９に示すように、地域毎の天気情報を提供するサーバ１００Ｂや地域毎のニュースを提供するサーバ１００Ｃやユーザのカレンダ情報を扱うサーバや市役所などの行政のサーバなど、他の装置やデータベースも利用して適切な対話を実現することが好ましい。すなわち、サーバ１００には、図１０にしめすような、週末の天気や明日の天気・気温・湿度・花粉・ｐｍ２．５などに関する条件毎に相応しいメッセージが準備される。
【００４８】
そして、本実施の形態においては、図１１に示すように、ステップＳ１１４においては、サーバ１００のＣＰＵ１１０は、空気清浄機２００から受信したデータに空気清浄機２００がホコリまたはニオイまたは照度に関する情報が含まれているか否かを判断する。そして、ホコリが検知されたり、ニオイが検知されたり、照度が明るい場合などに（ステップＳ１１４においてＹＥＳの場合）、ＣＰＵ１１０は、通信インターフェイス１６０を介して、各種のサーバ１００Ｂ，１００Ｃから各種のデータを取得する（ステップＳ１１７）。そして、ＣＰＵ１１０は、現在時刻・ホコリ・天気などの各種の条件が発話トリガに該当する場合に（ステップＳ１２０においてＹＥＳの場合）、ＣＰＵ１１０は、通信インターフェイス１６０を介して、現在の時刻・ホコリの量・特定のガスの量・照度・天気・気温・湿度・花粉の量・ｐｍ２．５の量・ニュースの種類・ユーザの予定・家族の予定などの各種の条件に適した対話のためのデータを空気清浄機２００に送信する（ステップＳ１２４）。
＜第５の実施の形態＞
【００４９】
第１〜第４の実施の形態のネットワークシステム１の各装置の役割の一部または全部を他の装置が実行してもよい。たとえば、サーバ１００や空気清浄機２００やスマートフォン３００の各々の役割の一部または全部を別の装置が担ったり、サーバ１００や空気清浄機２００やスマートフォン３００の各々の役割の一部または全部を複数の装置で担ったり、サーバ１００や空気清浄機２００やスマートフォン３００のいずれかがサーバ１００や空気清浄機２００やスマートフォン３００のいずれかの役割の一部または全部を担ったりしてもよい。
【００５０】
たとえば、図１２に示すように、空気清浄機２００への音声データの提供は、サーバ１００とは別の音声データ提供用のサーバ１００Ｘが担ってもよい。具体的には、サーバ１００が、ステップＳ１２４の代わりに、適切な対話データの取得先のアドレスなどを空気清浄機２００に提供してもよい。そして、空気清浄機２００のＣＰＵ２１０が、サーバ１００からの情報に基づいて、通信インターフェイス２６０を介して音声データ提供用のサーバ１００から音声データを取得して、当該音声メッセージをスピーカ２７０に出力させてもよい。
＜まとめ＞
【００５１】
上記の第１から第５の実施の形態においては、ホコリを検知して検知結果を送信する空気清浄機２００や冷房器具や暖房器具などの空気調和機と、空気調和機２００からのホコリを検知した旨の情報に基づいて、空気調和機２００にユーザとの音声対話を実行させるサーバ１００と、を備えるネットワークシステム１が提供される。
【００５２】
好ましくは、空気調和機２００は、ホコリを検知した場合に予め記憶している音声データに基づいてその旨を音声出力し、音声出力後にサーバ１００からの指令に基づくユーザとの音声対話を実行する。
【００５３】
好ましくは、サーバ１００は、空気調和機２００からのホコリを検知した旨の情報を受信すると、所定時間待機してから、空気調和機２００にユーザとの音声対話を開始させるための情報を送信する。
【００５４】
好ましくは、サーバ１００は、外部１００Ｂ，１００Ｃからの情報を利用して、空気調和機２００にユーザとの音声対話を実行させる。
【００５５】
この発明の別の態様に従うと、空気調和機２００がホコリを検知して検知結果をサーバ１００に送信するステップと、サーバ１００が、空気調和機２００からの情報に基づいて、空気調和機２００にユーザとの音声対話を実行させるためのデータを送信するステップとを備える情報処理方法が提供される。
【００５６】
この発明の別の態様に従うと、空気調和機２００と通信するための通信インターフェイス１６０と、通信インターフェイス１６０を利用することによって、空気調和機２００からのホコリを検知した旨の情報に基づいて、空気調和機２００にユーザとの音声対話を実行させるためのデータを送信するためのプロセッサ１１０と、を備えるサーバ１００が提供される。
【００５７】
この発明の別の態様に従うと、プロセッサ１１０が、通信インターフェイス１６０を介して、空気調和機２００からのホコリを検知した旨の情報を受信するステップと、プロセッサ１１０が、通信インターフェイス１６０を介して、空気調和機２００にユーザとの音声対話を実行させるためのデータを送信するステップと、を備える情報処理方法が提供される。
【００５８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５９】
１        ：ネットワークシステム
１００    ：サーバ
１００Ｂ  ：サーバ
１００Ｃ  ：サーバ
１００Ｘ  ：サーバ
１１０    ：プロセッサ
１２０    ：メモリ
１２１    ：機器管理データ
１２２    ：対話管理データ
１２２Ｂ  ：対話管理データ
１２２Ｃ  ：対話管理データ
１３０    ：ディスプレイ
１４０    ：操作部
１５０    ：時計
１６０    ：通信インターフェイス
２００    ：空気清浄機
２１０    ：ＣＰＵ
２２０    ：メモリ
２３０    ：ディスプレイ
２４０    ：操作部
２５０    ：ホコリセンサ
２５５    ：その他のセンサ
２６０    ：通信インターフェイス
２７０    ：スピーカ
２８０    ：マイク
２９０    ：機器駆動部
３００    ：スマートフォン
【図１】
2019052797.tif 000003
【図２】
2019052797.tif 000004
【図３】
2019052797.tif 000005
【図４】
2019052797.tif 000006
【図５】
2019052797.tif 000007
【図６】
2019052797.tif 000008
【図７】
2019052797.tif 000009
【図８】
2019052797.tif 000010
【図９】
2019052797.tif 000011
【図１０】
2019052797.tif 000012
【図１１】
2019052797.tif 000013
【図１２】
2019052797.tif 000014